(57)【要約】【課題】有機ＥＬパネルを封止する二枚の透明樹脂部材の接合部から侵入する水分による有機ＥＬパネルの劣化を抑制可能な発光装置を提供する。【解決手段】発光装置１０は、有機ＥＬパネル１６と、有機ＥＬパネル１６の側面１６ａを覆うように配置された第１ゲッター材１８と、有機ＥＬパネル１６の側面１６ａから離間して配置された第２ゲッター材２０と、有機ＥＬパネル１６、第１ゲッター材１８および第２ゲッター材２０を覆う二枚の透明樹脂部材２２，２３と、二枚の透明樹脂部材２２，２３を接合する接合部３０とを備える。第２ゲッター材２０が二枚の透明樹脂部材２２，２３で覆われることにより凸部３２が形成される。【選択図】図２
2017112005.tif 000002
【特許請求の範囲】
【請求項１】
有機ＥＬパネルと、
前記有機ＥＬパネルの側面を覆うように配置されたゲッター材と、
前記有機ＥＬパネルおよび前記ゲッター材を覆う二枚の透明樹脂部材と、
前記二枚の透明樹脂部材を接合する接合部と、
を備えることを特徴とする発光装置。
【請求項２】
前記有機ＥＬパネルの側面から離間して配置された第２のゲッター材と、
前記第２のゲッター材が前記二枚の透明樹脂部材で覆われて形成された凸部と、
をさらに備えることを特徴とする請求項１に記載の発光装置。
【請求項３】
前記有機ＥＬパネルを保持するための保持部材をさらに備え、
前記保持部材は凹部を備え、
前記保持部材の凹部と前記凸部とが嵌合して前記有機ＥＬパネルが前記保持部材に固定されることを特徴とする請求項２に記載の発光装置。
【請求項４】
前記保持部材は、前記ゲッター材および前記第２のゲッター材を隠蔽するための隠蔽部を備えることを特徴とする請求項３に記載の発光装置。
【請求項５】
前記透明樹脂部材は、紫外線吸収性材料を含有することを特徴とする請求項請求項１から４のいずれかに記載の発光装置。
【発明の詳細な説明】
【技術分野】
【０００１】
本発明は、有機ＥＬ（Ｅｌｅｃｔｒｏ  Ｌｕｍｉｎｅｓｃｅｎｃｅ）を使用した発光装置に関する。
【背景技術】
【０００２】
従来より、車両用灯具等の発光装置を薄く小型化するために、光源に有機ＥＬパネルを使用すること提案されている（例えば特許文献１参照）。
【先行技術文献】
【特許文献】
【０００３】
【特許文献１】特開２０１４−１１０１７８号公報
【発明の概要】
【発明が解決しようとする課題】
【０００４】
有機ＥＬパネルに水分が侵入すると、有機ＥＬパネルの陰極や有機物が劣化して、ダークスポットが発生するおそれがある。有機ＥＬパネルの水分による劣化を抑えるために、有機ＥＬパネルを二枚の透明樹脂部材で封止する方法が知られている。
【０００５】
しかしながら、上記のような方法においても、二枚の透明樹脂部材を接合する接着剤を介して有機ＥＬパネルに水分が侵入する可能性がある。
【０００６】
本発明はこうした状況に鑑みてなされたものであり、その目的は、有機ＥＬパネルを封止する二枚の透明樹脂部材の接合部から侵入する水分による有機ＥＬパネルの劣化を抑制可能な発光装置を提供することにある。
【課題を解決するための手段】
【０００７】
上記課題を解決するために、本発明のある態様の発光装置は、有機ＥＬパネルと、有機ＥＬパネルの側面を覆うように配置されたゲッター材と、有機ＥＬパネルおよびゲッター材を覆う二枚の透明樹脂部材と、二枚の透明樹脂部材を接合する接合部とを備える。
【０００８】
有機ＥＬパネルの側面から離間して配置された第２のゲッター材と、第２のゲッター材が二枚の透明樹脂部材で覆われて形成された凸部と、をさらに備えてもよい。
【０００９】
有機ＥＬパネルを保持するための保持部材をさらに備えてもよい。保持部材は凹部を備えてもよい。保持部材の凹部と凸部とが嵌合して有機ＥＬパネルが保持部材に固定されてもよい。
【００１０】
保持部材は、ゲッター材および第２のゲッター材を隠蔽するための隠蔽部を備えてもよい。
【００１１】
透明樹脂部材は、紫外線吸収性材料を含有してもよい。
【発明の効果】
【００１２】
本発明によれば、有機ＥＬパネルを封止する二枚の透明樹脂部材の接合部から侵入する水分による有機ＥＬパネルの劣化を抑制可能な発光装置を提供できる。
【図面の簡単な説明】
【００１３】
【図１】本発明の実施形態に係る発光装置の概略斜視図である。
【図２】図１に示す発光装置のＡ−Ａ断面図である。
【図３】有機ＥＬ組立体の平面図である。
【図４】図３に示す有機ＥＬ組立体のＢ−Ｂ断面図である。
【図５】有機ＥＬ組立て体の概略斜視図である。
【図６】図３に示す給電部周辺のＣ−Ｃ断面図である。
【図７】給電部の変形例を示す図である。
【図８】図７に示す有機ＥＬ組立体のＤ−Ｄ断面図である。
【図９】給電部の別の変形例を示す図である。
【図１０】保持部材の凹部と有機ＥＬ組立体の凸部の嵌合構造の変形例を示す図である。
【発明を実施するための形態】
【００１４】
以下、図面を参照して本発明の実施形態に係る発光装置について詳細に説明する。本実施形態に係る発光装置は、車両用灯具として使用可能である。なお、本明細書において「上」、「下」、「前」、「後」、「左」、「右」、「内」、「外」等の方向を表す用語が用いられる場合、それらは発光装置が車両に装着されたときの姿勢における方向を意味する。また、各図面は各部材の位置関係を説明することを目的としているため、必ずしも実際の各部材の寸法関係を表すものではない。また、各実施形態の説明において、同一または対応する構成要素には同一の符号を付し、重複する説明は適宜省略する。
【００１５】
図１は、本発明の実施形態に係る発光装置１０の概略斜視図である。図２は、図１に示す発光装置１０のＡ−Ａ断面図である。図１に例示した発光装置１０は、テールランプ、ストップランプ、デイタイムランニングランプ、クリアランスランプなどに用いられてよい。図１および図２に示すように、発光装置１０は、有機ＥＬ組立体１２と、有機ＥＬ組立体１２を保持するための保持部材１４とを備える。保持部材１４は、例えば車両用灯具のボディに取り付けられてもよいし、ボディと一体に形成されてもよい。
【００１６】
図３は、有機ＥＬ組立体１２の平面図である。図４は、図３に示す有機ＥＬ組立体１２のＢ−Ｂ断面図である。図５は、有機ＥＬ組立て体１２の概略斜視図である。有機ＥＬ組立体１２は、有機ＥＬパネル１６と、第１ゲッター材１８と、第２ゲッター材２０と、二枚の透明樹脂部材２２，２３と、給電部２５とを備える。
【００１７】
図４の部分拡大図に示すように、有機ＥＬパネル１６は、透明なガラス基板２７上に、陽極２１、有機物層２４および陰極２６を積層し、さらにそれらを封止部材２８で封止することにより構成されている。陽極２１としては、ＩＴＯ（酸化インジウムスズ）等の透明電極が用いられる。陰極２６としては、アルミニウム等の金属電極が用いられる。陽極２１および陰極２６を用いて有機物層２４に電圧を印加すると、陽極２１から正孔が、陰極２６からは電子が注入され、有機物層２４でそれらが結合する際に生じるエネルギーで蛍光性有機化合物が励起され、発光する。有機物層２４で発光した光のうち陽極２１に向かう光は、陽極２１およびガラス基板２７を通過して灯具前方に出射される。一方、有機物層２４で発光した光のうち陰極２６に向かう光は、陰極２６で反射した後、有機物層２４、陽極２１およびガラス基板２７を通過して灯具前方に出射される。なお、有機物層２４は、リン光性有機化合物を含むものであってもよい。なお、ガラス基板２７に代えて樹脂基板等の別の透明基板を用いることも可能である。
【００１８】
第１ゲッター材１８は、有機ＥＬパネル１６の側面１６ａと、裏面１６ｂ（発光面１６ｃに対向する面）を覆うように配置されている。第１ゲッター材１８は、水分を吸着することができる。第１ゲッター材１８としては、例えば酸化カルシウムを主成分とするものを用いることができる。
【００１９】
第２ゲッター材２０は、有機ＥＬパネル１６の側面１６ａから離間して配置される。本実施形態において、第２ゲッター材２０は、有機ＥＬパネル１６の上下にそれぞれ配置されている。第２ゲッター材２０の長さは、第１ゲッター材１８の側面１６ａの長さよりも長いことが好ましい。第２ゲッター材２０は、一定以上の厚さ、例えば有機ＥＬパネル１６よりも大きな厚さを有することが好ましい。第２ゲッター材２０は、水分を吸着することができる。第１ゲッター材１８と同様に、第２ゲッター材２０としては、例えば酸化カルシウムを主成分とするものを用いることができる。
【００２０】
二枚の透明樹脂部材２２，２３は、有機ＥＬパネル１６、第１ゲッター材１８および第２ゲッター材２０を覆っている。二枚の透明樹脂部材２２，２３は、フィルム状であり、接合部３０により互いに接合される。接合部３０は、接着剤であってよい。透明樹脂部材２２，２３は、紫外線吸収性材料を含有していることが好ましい。この場合、有機ＥＬパネル１６の紫外線による劣化を抑制できる。
【００２１】
本実施形態においては、有機ＥＬパネル１６の上下にそれぞれ配置された第２ゲッター材２０が透明樹脂部材２２，２３で覆われることにより、有機ＥＬパネル１６の上下にそれぞれ凸部３２が形成されている。この凸部３２を利用して、有機ＥＬ組立体１２を保持部材１４に固定することができる。
【００２２】
図１および図２に示すように、保持部材１４には、有機ＥＬ組立体１２を収容するための収容部３５が形成されている。この収容部３５の上下にはそれぞれ、凹部３６が形成されている。保持部材１４の凹部３６と有機ＥＬ組立体１２の凸部３２とが嵌合することで、有機ＥＬ組立体１２が保持部材１４に固定される。保持部材１４の右側面１４ａには、収容部３５内に有機ＥＬ組立体１２を挿入するための開口３４が設けられている。一方、保持部材１４の左側面１４ｂには開口は設けられていない。
【００２３】
図１および図２に示すように、保持部材１４の前面には開口部３８が形成されており、該開口部３８には有機ＥＬパネル１６の発光面１６ｃが露出するように配置される。開口部３８の周囲には、有機ＥＬ組立体１２の第１ゲッター材１８および第２ゲッター材２０を隠蔽するための隠蔽部４０が形成されている。第１ゲッター材１８および第２ゲッター材２０を隠蔽部４０で隠すことにより、発光装置１０の意匠性を向上できる。
【００２４】
本実施形態では、保持部材１４を平板状としているが、保持部材１４は湾曲していてもよい。この場合、有機ＥＬ組立体１２を湾曲した状態で保持することができる。
【００２５】
図６は、図３に示す給電部２５周辺のＣ−Ｃ断面図である。給電部２５は、フレキシブルプリント基板４２を備える。本実施形態において、フレキシブルプリント基板４２は、透明樹脂部材２２，２３によって覆われている。フレキシブルプリント基板４２は、有機ＥＬパネル１６の陽極２１および陰極２６に接続されている。フレキシブルプリント基板４２には、電極４４が形成されている。一方の透明樹脂部材２２には、電極４４を露出するための孔４６が形成されている。電極には配線４８が接続される。配線４８は、孔４６を通って有機ＥＬ組立体１２の外部に延びている。孔４６には、ポッティング材５０が充填され、これにより有機ＥＬ組立体１２内への水分の侵入が防止される。図１に示すように、配線４８は、保持部材１４の右側面１４ａの開口３４から保持部材１４の外部に引き出されている。
【００２６】
以上説明したように、本実施形態に係る発光装置１０では、有機ＥＬパネル１６の側面１６ａおよび裏面１６ｂを覆うように第１ゲッター材１８を配置した。これにより、接合部３０を介して有機ＥＬ組立体１２内に水分が侵入したとしても、第１ゲッター材１８で水分を吸着することで、水分が有機ＥＬパネル１６まで到達することを防ぐことができる。
【００２７】
さらに、本実施形態に係る発光装置１０では、有機ＥＬパネル１６の側面１６ａから離間した位置に第２ゲッター材２０を配置した。これにより、有機ＥＬパネル１６への水分の到達をさらに防ぐことができる。また、第２ゲッター材２０が二枚の透明樹脂部材２２，２３で覆われて形成された凸部を保持部材１４の凹部３６と嵌合することで、有機ＥＬパネル１６を保持部材１４に固定することができる。有機ＥＬ組立体１２に別途固定用の構造を形成する必要がないため、安価な発光装置１０を実現できる。
【００２８】
図７は、変形例に係る有機ＥＬ組立体６２の平面図である。図８は、図７に示す有機ＥＬ組立体６２のＤ−Ｄ断面図である。
【００２９】
図７および図８に示す有機ＥＬ組立体６２では、第２ゲッター材２０は、第２ゲッター材２０は、有機ＥＬパネル１６の側面１６ａから離間するとともに、有機ＥＬパネル１６の側面１６ａを囲むように配置されている。この場合、図３に示す有機ＥＬ組立体１２と比較して、有機ＥＬパネル１６への水分の到達をさらに防ぐことができる。
【００３０】
また、本変形例に係る有機ＥＬ組立体６２では、給電部２５のフレキシブルプリント基板４２は、透明樹脂部材２２，２３によって完全には覆われず、透明樹脂部材２２，２３の外部に延在している。
【００３１】
図９は、給電部２５の別の変形例を示す。図９に示す給電部２５では、フレキシブルプリント基板４２の裏面に電極７１が形成されている。また、フレキシブルプリント基板４２の電極７１と対向するように、コネクタ７３が配置される。コネクタ７３にはフレキシブルプリント基板４２の電極７１と対応するように電極（図示せず）が形成されている。コネクタ７３は、電源に接続される。
【００３２】
さらに、本変形例の給電部２５では、フレキシブルプリント基板４２を覆う保持部材１４の一部分が、開閉可能な蓋７５として構成されている。この蓋７５を閉じると、フレキシブルプリント基板４２の電極７１がコネクタ７３の電極に圧着され、両者の電気的な導通が図られる。
【００３３】
図１０は、保持部材１４の凹部３６と有機ＥＬ組立体１２の凸部３２の嵌合構造の変形例を示す。本変形例では、三角形状の断面を有する第２ゲッター材２０を用いることで、凸部３２の断面形状を三角形状としている。また、保持部材１４の凹部３６の入口にテーパを有する係止部７０を設けている。
【００３４】
図１０に示すように、有機ＥＬ組立体１２の凸部３２を保持部材１４の凹部３６に押し込んで、一旦凸部３２が凹部３６内に入ると、凸部３２が係止部７０によって係止され、凸部３２が凹部３６から外れることが防止される。このような嵌合構造を採用することで、確実に有機ＥＬ組立体１２を保持部材１４に固定することができる。
【００３５】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３６】
１０  発光装置、  １２、６２  有機ＥＬ組立体、  １４  保持部材、  １６  有機ＥＬパネル、  １８  第１ゲッター材、  ２０  第２ゲッター材、  ２１  陽極、  ２２、２３  透明樹脂部材、  ２４  有機物層、  ２５  給電部、  ２６  陰極、  ２７  ガラス基板、  ２８  封止部材、  ３０  接合部、  ３２  凸部、  ３５  収容部、  ３６  凹部、  ３８  開口部、  ４０  隠蔽部、  ４２  フレキシブルプリント基板、  ４４、７１  電極、  ４６  孔、  ４８  配線、  ５０  ポッティング材、  ７０  係止部、  ７３  コネクタ、  ７５  蓋。
【図１】
2017112005.tif 000003
【図２】
2017112005.tif 000004
【図３】
2017112005.tif 000005
【図４】
2017112005.tif 000006
【図５】
2017112005.tif 000007
【図６】
2017112005.tif 000008
【図７】
2017112005.tif 000009
【図８】
2017112005.tif 000010
【図９】
2017112005.tif 000011
【図１０】
2017112005.tif 000012